(57)【要約】【課題】マチを持たずに最小限の大きさで、厚みのある物品、または、複数の物品を重ねて収納できるポケットを提供する。【解決手段】前面と背面のシート材が左右・下端の３辺で固着された扁平な袋体で、上部に開口部１ｂを持つ袋部１と、該袋部１の背面が上方に伸び、上部で使用場所に固定される保持部２と、からなり、該袋部１の下端の左右に、該袋部１の中央側に丸みを持つ切り欠き部１ｃを有し、該開口部１ｂの上の該保持部２の左右に、該開口部１ｂと平行に、該保持部２の中央側に丸みを持つ切り欠き部２ｃを有する。【選択図】図１
2020036722.tif 000002
【特許請求の範囲】
【請求項１】
前面と背面のシート材が左右・下端の３辺で固着された扁平な袋体で、上部に開口部を持つ袋部と、該袋部の背面が上方に伸び、上部で使用場所に固定される保持部と、からなり、該袋部の下端の左右に、該袋部の中央側に丸みを持つ切り欠き部を有し、該開口部の上の該保持部の左右に、該開口部と平行に、該保持部の中央側に丸みを持つ切り欠き部を有する収納ポケット。
【請求項２】
請求項１の収納ポケットにおいて、複数の該収納ポケットが横方向に前記保持部で連結された形態で、一つの扁平なシート状である収納ポケット。
【請求項３】
請求項１の収納ポケットにおいて、前記保持部の上方に蓋部が設けられ、取り外し可能な固定手段を有し、収納物に蓋をした携帯が可能となる収納ポケット。
【発明の詳細な説明】
【技術分野】
【０００１】
本発明は、物品を収納する収納ポケットに関する。
【背景技術】
【０００２】
厚みのある物品、または、複数の物品を重ねて収納するポケットは、左右・底部などに折り畳まれるマチをつけて十分な膨らみを得ようとする、または、ポケットにあらかじめ膨らみを持たせたマチをつけるのが一般的である。また、ポケットの取り付け方法が、ポケットの左右・底部が台紙等に固着されたものの場合、厚みのある物品を収納するためには必ずマチがつけられている。
【０００３】
そこで、ポケットを上端のみで固着しマチがない状態でも膨らみを得られるもの（特許文献１）、通常のマチではなく、切込み部によって膨らみを得るもの（特許文献２）がある。
【先行技術文献】
【特許文献】
【０００４】
【特許文献１】特許６２２９８６６号広報
【特許文献２】登録実用新案第３１７９２１９号広報
【発明の概要】
【発明が解決しようとする課題】
【０００５】
従来のマチのあるポケットではマチ部分が厚みを持ちかさばるものとなる。また、製造工程が複雑になり、材料的にもコストのかかるものとなる。
【０００６】
（特許文献１）のような従来のマチを持たないポケットでは、十分な膨らみをを得るためにはサイズを大きめにする、または、薄く軟質な素材を使用するなどとしなければならず、底部によれが生じる場合もあり、コスト面や耐久性に問題がある。さらに、固着部分は、袋部の膨らみの影響を受け前方へ引っ張られるため、左右両端に負荷がかかり、素材が伸びたり、固着の耐久性が問題となる。
【０００７】
また、（特許文献２）のようなポケットは、一定の大きさ、厚みのもの（例えば厚手の冊子等）には有効ではあるが、より小さいもの、より厚みのあるもの（例えばタバコの箱のような物等）では厚みに応じた長さの切込みを入れることができないという問題がある。
【０００８】
本発明は上記のような従来技術の問題点に鑑みて、マチを持たずに最小限の大きさで、厚みのある物品、または、複数の物品を重ねて収納できるポケットを提供することを目的とする。
【課題を解決するための手段】
【０００９】
前面と背面のシート材が左右・下端の３辺で固着された扁平な袋体で、上部に開口部を持つ袋部と、該袋部の背面が上方に伸び、上部で使用場所に固定される保持部と、からなり、該袋部の下端の左右に、該袋部の中央側に丸みを持つ切り欠き部を有し、該開口部の上の該保持部の左右に、該開口部と平行に、該保持部の中央側に丸みを持つ切り欠き部を有する。
【００１０】
複数の該収納ポケットが横方向に前記保持部で連結された形態で、一つの扁平なシート状である。
【００１１】
前記保持部の上方に蓋部が設けられ、取り外し可能な固定手段を有し、収納物に蓋をした携帯が可能となる。ここで取り外し可能な固定手段とは、フック等への引っ掛け、面ファスナー等である。
【発明の効果】
【００１２】
本発明によれば、マチを持たずに最小限の大きさで、厚みのある物品、または、複数の物品を重ねて収納でき、物品を収納していない状態では扁平である。そのため、材料も少なく、製造も容易となり、製造及び在庫時のコスト等が抑えられる。
【図面の簡単な説明】
【００１３】
【図１】収納ポケットの実施形体例の正面図であり、Ａは袋部と同じ幅の保持部の図、Ｂは切り欠き部を上部まで伸ばした保持部の図。
【図２】収納ポケットの固定例の図であり、Ａはボード等に溶着の例、Ｂはフック等への引っ掛けの例の図。
【図３】収納ポケットに箱物の物品を収納した場合の斜視図。
【図４】複数の収納ポケットが連結された状態の図。
【図５】保持部に蓋部を設けた正面図であり、Ａは折り目をつけた例、Ｂは蓋部に面ファスナーを付けた例の図。
【図６】物品を収納し携帯する場合の斜視図であり、Ａは折り目をつけた例、Ｂは蓋部に面ファスナーを付けた例の図。
【発明を実施するための形態】
【００１４】
以下、本発明を実施するための形態について説明する。
本発明の収納ポケットは図１のように、ポリプロピレン、塩ビ等の樹脂のシート材で、前面と背面との２枚を左右・下端の３辺で溶着１ａした、上部に開口部１ｂを持った扁平な袋体の袋部１と、袋部１の背面を上方に伸びた形状とし、上部で使用場所に固定される袋部１より上方の保持部２と、で構成される。
なお、袋部１は前面と背面、２枚のシート材でなくてもよく、背面のシートを下方に伸ばし折り返して前面として、左右を溶着１ａしたものでもよい。また、素材は樹脂でなくてもよく、不織布、布、紙等でもよく、溶着１ａではなく縫製、接着等でもよい。
【００１５】
そして、袋部１の下端の左右に切り欠き部１ｃを設ける。基本的には収納される物品を箱型のものと想定し、物品が収納された状態で、袋部１が物品の厚み（複数の物品を重ねて収納する場合は、想定される数分の厚み）・幅に応じた箱型の膨らみに変形するような袋部１の大きさ、および切り欠き部１ｃの大きさとする。この切り欠き部１ｃの大きさは、シート材の厚み、軟度により調整する必要がある。また、切り欠き部１ｃの中央側は、袋部１が膨らむ際の力により、角があると切れ目が入って破れたりしやすくなるため、切り欠き部１ｃの中央側は角のない丸みを持つ形状とする。
【００１６】
さらに、袋部１の開口部１ｂの上の保持部２の左右に切り欠き部２ｃを設ける。この切り欠き部２ｃは、開口部１ｂと平行にポケットの左右中央に向かって設けられ、中央側は角のない丸みを持つ形状とする。左右の切り欠き部２ｃの平行部分の間の間隔は、収納される物品の幅よりも狭くする。これにより、保持部２上部は袋部１の膨らみによる前方へ引っ張られる力の影響を受けずらくなり、収納された物品の重量を受けた下方への力を支えるものとなる。また、物品の収納時の引っ掛かりを抑えるため、開口部１ｂと切り欠き部２ｃとの間に間隔を取り、段差２ｄをつけると収納しやすくなる。
保持部２は図１Ａのように、袋部１と同じ幅とする。または、図１Ｂのように切り欠き部２ｃを上部まで伸ばしたものとしてもよい。
【００１７】
収納ポケットの固定方法としては図２のように、ボード、台紙、布等への溶着３ａ、接着、縫製、または、フック４等への引っ掛け、あるいは面ファスナー６ｆ等の方法で固定できる。
フック４等への引っ掛けの場合は、保持部２に穴、切れ込み５等を設ける。または、保持部２の切り欠き部２ｃで引っ掛けてもよい。この場合は、収納物の取り出しの際に収納ポケットが一緒に持ち上がらないよう、逆向きの引っ掛かけも必要となる。
【００１８】
これにより図３のように、袋部１は箱型に対応した膨らみに変形する形態のため、マチを持たなくても最小限の大きさで物品を収納でき、耐久性を考えた素材の厚み、軟度で設計することができる。このため、袋部１の切り欠き部１ｃより小さな物品は収納できないが、スマートフォン、リモコン等の機器、箱物等、または複数の、薬を小分けした袋、領収書、カード等の収納に有効である。
また、スマートフォンを収納の場合、シート素材によっては収納した状態での操作が可能なものとすることができる。
また、薬を小分けした袋、領収書、カード等を収納の場合、少量の時は薄く、多量の時は厚く、ポケットが固定された面と平行に近い形で袋部１が変形し、少量の時でも、マチのあるポケットのようにポケット内で倒れたりせず、収納物の視認がしやすいという効果がある。
【００１９】
さらに、カレンダーポケットのように複数の収納ポケットが必要な場合、本発明の収納ポケットはマチのないものであるため図４のように、横方向に複数のポケットが保持部２で連結された一つの扁平なシート状態とすることができる。このため、製造工程を少なくし、コストを削減できるという効果がある。
【００２０】
また、図５のように、保持部２をさらに上方に伸ばした部分を設け、その上方を袋部１の下端の固着された部分の幅とし、伸ばした部分を蓋部６として折り目６ｅを入れ、折り返して袋部１の収納物の前側に差し込む。または、折り目６ｅを入れずそのまま折り返して差し込むことにより、図６のように、外出時に携帯可能な収納ポケットとすることができる。この場合、固定方法をフック４等への引っ掛けとし、蓋部６を収納物の後側に差し込んでおく、または、面ファスナー６ｆとする等により、通常時は使用場所に固定して、収納物を出し入れすることができる。
なお、蓋部６は保持部２の上部に溶着、接着、縫製等で固着されたものでもよい。また。袋部１の前面に蓋部６の差し込み部を設けてもよい。
【００２１】
これにより、薬を小分けした複数の袋での使用の場合は、携帯する薬が多量な場合でもコンパクトに携帯することができ、薬を服用するごとに扁平になっていき、ピルケースのようにいつまでも場所をとることがない。また、携帯せず薬をまとめておく保存用として使用することもできる。
さらに、箱物等で本体と蓋とが別になっているものでの使用の場合は、携帯時に不用意に蓋が開いてしまうことを防ぐという効果もある。
【符号の説明】
【００２２】
１    袋部
１ａ  溶着
１ｂ  開口部
１ｃ  袋部の切り欠き部
２    保持部
２ｃ  保持部の切り欠き部
２ｄ  段差
３ａ  ボード等への溶着
４    フック
５    切れ込み
６    蓋部
６ｅ  折り目
６ｆ  面ファスナー
【図１】
2020036722.tif 000003
【図２】
2020036722.tif 000004
【図３】
2020036722.tif 000005
【図４】
2020036722.tif 000006
【図５】
2020036722.tif 000007
【図６】
2020036722.tif 000008
【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
前面と背面のシート材が左右・下端の３辺で固着された扁平な袋体で、上部に開口部を持つ、使用場所に固定されない袋部と、該袋部の背面が上方に伸び、上部で使用場所に固定される保持部と、からなり、該袋部の下端の左右に、収納される物品の厚みに応じた大きさの、該袋部の中央側に丸みを持つ切り欠き部を有し、該開口部の上の該保持部の左右に、該開口部と平行に、平行部分の間の間隔が収納される物品の幅よりも狭い、該保持部の中央側に丸みを持つ切り欠き部を有する収納ポケット。
【請求項２】
請求項１の収納ポケットにおいて、複数の該収納ポケットが横方向に前記保持部で連結された形態で、一つの扁平なシート状である収納ポケット。
【請求項３】
請求項１の収納ポケットにおいて、前記保持部の上方に、前記袋部の下端の固着された部分の幅の蓋部が設けられ、取り外し可能な固定手段を有し、収納物に蓋をした携帯が可能となる収納ポケット。
【手続補正２】
【補正対象書類名】明細書
【補正対象項目名】全文
【補正方法】変更
【補正の内容】
【発明の詳細な説明】
【技術分野】
【０００１】
本発明は、物品を収納する収納ポケットに関する。
【背景技術】
【０００２】
厚みのある物品、または、複数の物品を重ねて収納するポケットは、左右・底部などに折り畳まれるマチをつけて十分な膨らみを得ようとする、または、ポケットにあらかじめ膨らみを持たせたマチをつけるのが一般的である。また、ポケットの取り付け方法が、ポケットの左右・底部が台紙等に固着されたものの場合、厚みのある物品を収納するためには必ずマチがつけられている。
【０００３】
そこで、ポケットを上端のみで固着しマチがない状態でも膨らみを得られるもの（特許文献１）、通常のマチではなく、切込み部によって膨らみを得るもの（特許文献２）がある。
【先行技術文献】
【特許文献】
【０００４】
【特許文献１】特許６２２９８６６号広報
【特許文献２】登録実用新案第３１７９２１９号広報
【発明の概要】
【発明が解決しようとする課題】
【０００５】
従来のマチのあるポケットではマチ部分が厚みを持ちかさばるものとなる。また、製造工程が複雑になり、材料的にもコストのかかるものとなる。
【０００６】
（特許文献１）のような従来のマチを持たないポケットでは、十分な膨らみをを得るためにはサイズを大きめにする、または、薄く軟質な素材を使用するなどとしなければならず、底部によれが生じる場合もあり、コスト面や耐久性に問題がある。さらに、固着部分は、袋部の膨らみの影響を受け前方へ引っ張られるため、左右両端に負荷がかかり、素材が伸びたり、固着の耐久性が問題となる。
【０００７】
また、（特許文献２）のようなポケットは、一定の大きさ、厚みのもの（例えば厚手の冊子等）には有効ではあるが、より小さいもの、より厚みのあるもの（例えばタバコの箱のような物等）では厚みに応じた長さの切込みを入れることができないという問題がある。
【０００８】
本発明は上記のような従来技術の問題点に鑑みて、マチを持たずに最小限の大きさで、厚みのある物品、または、複数の物品を重ねて収納できるポケットを提供することを目的とする。
【課題を解決するための手段】
【０００９】
前面と背面のシート材が左右・下端の３辺で固着された扁平な袋体で、上部に開口部を持つ、使用場所に固定されない袋部と、該袋部の背面が上方に伸び、上部で使用場所に固定される保持部と、からなり、該袋部の下端の左右に、収納される物品の厚みに応じた大きさの、該袋部の中央側に丸みを持つ切り欠き部を有し、該開口部の上の該保持部の左右に、該開口部と平行に、平行部分の間の間隔が収納される物品の幅よりも狭い、該保持部の中央側に丸みを持つ切り欠き部を有する。
【００１０】
複数の該収納ポケットが横方向に前記保持部で連結された形態で、一つの扁平なシート状である。
【００１１】
前記保持部の上方に、前記袋部の下端の固着された部分の幅の蓋部が設けられ、取り外し可能な固定手段を有し、収納物に蓋をした携帯が可能となる。
【発明の効果】
【００１２】
本発明によれば、マチを持たずに最小限の大きさで、厚みのある物品、または、複数の物品を重ねて収納でき、物品を収納していない状態では扁平である。そのため、材料も少なく、製造も容易となり、製造及び在庫時のコスト等が抑えられる。
【図面の簡単な説明】
【００１３】
【図１】収納ポケットの実施形体例の正面図であり、Ａは袋部と同じ幅の保持部の図、Ｂは切り欠き部を上部まで伸ばした保持部の図。
【図２】収納ポケットの固定例の図であり、Ａはボード等に溶着の例、Ｂはフック等への引っ掛けの例の図。
【図３】収納ポケットに箱物の物品を収納した場合の斜視図。
【図４】複数の収納ポケットが連結された状態の図。
【図５】保持部に蓋部を設けた正面図であり、Ａは折り目をつけた例、Ｂは蓋部に面ファスナーを付けた例の図。
【図６】物品を収納し携帯する場合の斜視図であり、Ａは折り目をつけた例、Ｂは蓋部に面ファスナーを付けた例の図。
【発明を実施するための形態】
【００１４】
以下、本発明を実施するための形態について説明する。
本発明の収納ポケットは図１のように、ポリプロピレン、塩ビ等の樹脂のシート材で、前面と背面との２枚を左右・下端の３辺で溶着１ａした、上部に開口部１ｂを持った扁平な袋体の袋部１と、袋部１の背面を上方に伸びた形状とし、上部で使用場所に固定される袋部１より上方の保持部２と、で構成される。
なお、袋部１は前面と背面、２枚のシート材でなくてもよく、背面のシートを下方に伸ばし折り返して前面として、左右を溶着１ａしたものでもよい。また、素材は樹脂でなくてもよく、不織布、布、紙等でもよく、溶着１ａではなく縫製、接着等でもよい。
【００１５】
そして、袋部１の下端の左右に切り欠き部１ｃを設ける。基本的には収納される物品を箱型のものと想定し、物品が収納された状態で、袋部１が物品の厚み（複数の物品を重ねて収納する場合は、想定される数分の厚み）・幅に応じた箱型の膨らみに変形するような袋部１の大きさ、および切り欠き部１ｃの大きさとする。この切り欠き部１ｃの大きさは、シート材の厚み、軟度により調整する必要がある。また、切り欠き部１ｃの中央側は、袋部１が膨らむ際の力により、角があると切れ目が入って破れたりしやすくなるため、切り欠き部１ｃの中央側は角のない丸みを持つ形状とする。
【００１６】
さらに、袋部１の開口部１ｂの上の保持部２の左右に切り欠き部２ｃを設ける。この切り欠き部２ｃは、開口部１ｂと平行にポケットの左右中央に向かって設けられ、中央側は角のない丸みを持つ形状とする。左右の切り欠き部２ｃの平行部分の間の間隔は、収納される物品の幅よりも狭くする。これにより、保持部２上部は袋部１の膨らみによる前方へ引っ張られる力の影響を受けずらくなり、収納された物品の重量を受けた下方への力を支えるものとなる。また、物品の収納時の引っ掛かりを抑えるため、開口部１ｂと切り欠き部２ｃとの間に間隔を取り、段差２ｄをつけると収納しやすくなる。
保持部２は図１Ａのように、袋部１と同じ幅とする。または、図１Ｂのように切り欠き部２ｃを上部まで伸ばしたものとしてもよい。
【００１７】
収納ポケットの固定方法としては図２のように、ボード、台紙、布等への溶着３ａ、接着、縫製、または、フック４等への引っ掛け、あるいは面ファスナー６ｆ等の方法で固定できる。
フック４等への引っ掛けの場合は、保持部２に穴、切れ込み５等を設ける。または、保持部２の切り欠き部２ｃで引っ掛けてもよい。この場合は、収納物の取り出しの際に収納ポケットが一緒に持ち上がらないよう、逆向きの引っ掛かけも必要となる。
【００１８】
これにより図３のように、袋部１は箱型に対応した膨らみに変形する形態のため、マチを持たなくても最小限の大きさで物品を収納でき、耐久性を考えた素材の厚み、軟度で設計することができる。このため、袋部１の切り欠き部１ｃより小さな物品は収納できないが、スマートフォン、リモコン等の機器、箱物等、または複数の、薬を小分けした袋、領収書、カード等の収納に有効である。
また、スマートフォンを収納の場合、シート素材によっては収納した状態での操作が可能なものとすることができる。
また、薬を小分けした袋、領収書、カード等を収納の場合、少量の時は薄く、多量の時は厚く、ポケットが固定された面と平行に近い形で袋部１が変形し、少量の時でも、マチのあるポケットのようにポケット内で倒れたりせず、収納物の視認がしやすいという効果がある。
【００１９】
さらに、カレンダーポケットのように複数の収納ポケットが必要な場合、本発明の収納ポケットはマチのないものであるため図４のように、横方向に複数のポケットが保持部２で連結された一つの扁平なシート状態とすることができる。このため、製造工程を少なくし、コストを削減できるという効果がある。
【００２０】
また、図５のように、保持部２をさらに上方に伸ばした部分を設け、その上方を袋部１の下端の固着された部分の幅とし、伸ばした部分を蓋部６として折り目６ｅを入れ、折り返して袋部１の収納物の前側に差し込む。または、折り目６ｅを入れずそのまま折り返して差し込むことにより、図６のように、外出時に携帯可能な収納ポケットとすることができる。この場合、固定方法をフック４等への引っ掛けとし、蓋部６を収納物の後側に差し込んでおく、または、面ファスナー６ｆとする等により、通常時は使用場所に固定して、収納物を出し入れすることができる。
なお、蓋部６は保持部２の上部に溶着、接着、縫製等で固着されたものでもよい。また。袋部１の前面に蓋部６の差し込み部を設けてもよい。
【００２１】
これにより、薬を小分けした複数の袋での使用の場合は、携帯する薬が多量な場合でもコンパクトに携帯することができ、薬を服用するごとに扁平になっていき、ピルケースのようにいつまでも場所をとることがない。また、携帯せず薬をまとめておく保存用として使用することもできる。
さらに、箱物等で本体と蓋とが別になっているものでの使用の場合は、携帯時に不用意に蓋が開いてしまうことを防ぐという効果もある。
【符号の説明】
【００２２】
１    袋部
１ａ  溶着
１ｂ  開口部
１ｃ  袋部の切り欠き部
２    保持部
２ｃ  保持部の切り欠き部
２ｄ  段差
３ａ  ボード等への溶着
４    フック
５    切れ込み
６    蓋部
６ｅ  折り目
６ｆ  面ファスナー
【手続補正３】
【補正対象書類名】図面
【補正対象項目名】全図
【補正方法】変更
【補正の内容】
【図１】
2020036722.tif 000009
【図２】
2020036722.tif 000010
【図３】
2020036722.tif 000011
【図４】
2020036722.tif 000012
【図５】
2020036722.tif 000013
【図６】
2020036722.tif 000014
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
前面と背面のシート材が左右・下端の３辺で固着された扁平な袋体で、上部に開口部を持つ、使用場所に固定されない袋部と、該袋部の背面が上方に伸び、上部で使用場所に固定される保持部と、からなり、該袋部の下端の左右に、収納される物品の厚みに応じた大きさの、該袋部の中央側に丸みを持つ切り欠き部を有し、該開口部の上の該保持部の左右に、該開口部と平行に、平行部分の間の間隔が収納される物品の幅よりも狭い、該保持部の中央側に丸みを持つ切り欠き部を有し、該袋部が箱型の膨らみに変形する収納ポケット。
【請求項２】
請求項１の収納ポケットにおいて、前記保持部の上方に、前記袋部の下端の固着された部分の幅の蓋部が設けられ、取り外し可能な固定手段を有し、収納物に蓋をした携帯が可能となる収納ポケット。
【手続補正２】
【補正対象書類名】明細書
【補正対象項目名】全文
【補正方法】変更
【補正の内容】
【発明の詳細な説明】
【技術分野】
【０００１】
本発明は、物品を収納する収納ポケットに関する。
【背景技術】
【０００２】
厚みのある物品、または、複数の物品を重ねて収納するポケットは、左右・底部などに折り畳まれるマチをつけて十分な膨らみを得ようとする、または、ポケットにあらかじめ膨らみを持たせたマチをつけるのが一般的である。また、ポケットの取り付け方法が、ポケットの左右・底部が台紙等に固着されたものの場合、厚みのある物品を収納するためには必ずマチがつけられている。
【０００３】
そこで、ポケットを上端のみで固着しマチがない状態でも膨らみを得られるもの（特許文献１）、通常のマチではなく、切込み部によって膨らみを得るもの（特許文献２）がある。
【先行技術文献】
【特許文献】
【０００４】
【特許文献１】特許６２２９８６６号広報
【特許文献２】登録実用新案第３１７９２１９号広報
【発明の概要】
【発明が解決しようとする課題】
【０００５】
従来のマチのあるポケットではマチ部分が厚みを持ちかさばるものとなる。また、製造工程が複雑になり、材料的にもコストのかかるものとなる。
【０００６】
（特許文献１）のような従来のマチを持たないポケットでは、十分な膨らみをを得るためにはサイズを大きめにする、または、薄く軟質な素材を使用するなどとしなければならず、底部によれが生じる場合もあり、コスト面や耐久性に問題がある。さらに、固着部分は、袋部の膨らみの影響を受け前方へ引っ張られるため、左右両端に負荷がかかり、素材が伸びたり、固着の耐久性が問題となる。
【０００７】
また、（特許文献２）のようなポケットは、一定の大きさ、厚みのもの（例えば厚手の冊子等）には有効ではあるが、より小さいもの、より厚みのあるもの（例えばタバコの箱のような物等）では厚みに応じた長さの切込みを入れることができないという問題がある。
【０００８】
本発明は上記のような従来技術の問題点に鑑みて、マチを持たずに最小限の大きさで、厚みのある物品、または、複数の物品を重ねて収納できるポケットを提供することを目的とする。
【課題を解決するための手段】
【０００９】
前面と背面のシート材が左右・下端の３辺で固着された扁平な袋体で、上部に開口部を持つ、使用場所に固定されない袋部と、該袋部の背面が上方に伸び、上部で使用場所に固定される保持部と、からなり、該袋部の下端の左右に、収納される物品の厚みに応じた大きさの、該袋部の中央側に丸みを持つ切り欠き部を有し、該開口部の上の該保持部の左右に、該開口部と平行に、平行部分の間の間隔が収納される物品の幅よりも狭い、該保持部の中央側に丸みを持つ切り欠き部を有し、該袋部が箱型の膨らみに変形する。
【００１０】
複数の該収納ポケットが横方向に前記保持部で連結された形態で、一つの扁平なシート状である。
【００１１】
前記保持部の上方に、前記袋部の下端の固着された部分の幅の蓋部が設けられ、取り外し可能な固定手段を有し、収納物に蓋をした携帯が可能となる。
【発明の効果】
【００１２】
本発明によれば、マチを持たずに最小限の大きさで、厚みのある物品、または、複数の物品を重ねて収納でき、物品を収納していない状態では扁平である。そのため、材料も少なく、製造も容易となり、製造及び在庫時のコスト等が抑えられる。
【図面の簡単な説明】
【００１３】
【図１】収納ポケットの実施形体例の正面図であり、Ａは袋部と同じ幅の保持部の図、Ｂは切り欠き部を上部まで伸ばした保持部の図。
【図２】収納ポケットの固定例の図であり、Ａはボード等に溶着の例、Ｂはフック等への引っ掛けの例の図。
【図３】収納ポケットに箱物の物品を収納した場合の斜視図。
【図４】複数の収納ポケットが連結された状態の図。
【図５】保持部に蓋部を設けた正面図であり、Ａは折り目をつけた例、Ｂは蓋部に面ファスナーを付けた例の図。
【図６】物品を収納し携帯する場合の斜視図であり、Ａは折り目をつけた例、Ｂは蓋部に面ファスナーを付けた例の図。
【発明を実施するための形態】
【００１４】
以下、本発明を実施するための形態について説明する。
本発明の収納ポケットは図１のように、ポリプロピレン、塩ビ等の樹脂のシート材で、前面と背面との２枚を左右・下端の３辺で溶着１ａした、上部に開口部１ｂを持った扁平な袋体の袋部１と、袋部１の背面を上方に伸びた形状とし、上部で使用場所に固定される袋部１より上方の保持部２と、で構成される。
なお、袋部１は前面と背面、２枚のシート材でなくてもよく、背面のシートを下方に伸ばし折り返して前面として、左右を溶着１ａしたものでもよい。また、素材は樹脂でなくてもよく、不織布、布、紙等でもよく、溶着１ａではなく縫製、接着等でもよい。
【００１５】
そして、袋部１の下端の左右に切り欠き部１ｃを設ける。基本的には収納される物品を箱型のものと想定し、物品が収納された状態で、袋部１が物品の厚み（複数の物品を重ねて収納する場合は、想定される数分の厚み）・幅に応じた箱型の膨らみに変形するような袋部１の大きさ、および切り欠き部１ｃの大きさとする。この切り欠き部１ｃの大きさは、シート材の厚み、軟度により調整する必要がある。また、切り欠き部１ｃの中央側は、袋部１が膨らむ際の力により、角があると切れ目が入って破れたりしやすくなるため、切り欠き部１ｃの中央側は角のない丸みを持つ形状とする。
【００１６】
さらに、袋部１の開口部１ｂの上の保持部２の左右に切り欠き部２ｃを設ける。この切り欠き部２ｃは、開口部１ｂと平行にポケットの左右中央に向かって設けられ、中央側は角のない丸みを持つ形状とする。左右の切り欠き部２ｃの平行部分の間の間隔は、収納される物品の幅よりも狭くする。これにより、保持部２上部は袋部１の膨らみによる前方へ引っ張られる力の影響を受けずらくなり、収納された物品の重量を受けた下方への力を支えるものとなる。また、物品の収納時の引っ掛かりを抑えるため、開口部１ｂと切り欠き部２ｃとの間に間隔を取り、段差２ｄをつけると収納しやすくなる。
保持部２は図１Ａのように、袋部１と同じ幅とする。または、図１Ｂのように切り欠き部２ｃを上部まで伸ばしたものとしてもよい。
【００１７】
収納ポケットの固定方法としては図２のように、ボード、台紙、布等への溶着３ａ、接着、縫製、または、フック４等への引っ掛け、あるいは面ファスナー６ｆ等の方法で固定できる。
フック４等への引っ掛けの場合は、保持部２に穴、切れ込み５等を設ける。または、保持部２の切り欠き部２ｃで引っ掛けてもよい。この場合は、収納物の取り出しの際に収納ポケットが一緒に持ち上がらないよう、逆向きの引っ掛かけも必要となる。
【００１８】
これにより図３のように、袋部１は箱型に対応した膨らみに変形する形態のため、マチを持たなくても最小限の大きさで物品を収納でき、耐久性を考えた素材の厚み、軟度で設計することができる。このため、袋部１の切り欠き部１ｃより小さな物品は収納できないが、スマートフォン、リモコン等の機器、箱物等、または複数の、薬を小分けした袋、領収書、カード等の収納に有効である。
また、スマートフォンを収納の場合、シート素材によっては収納した状態での操作が可能なものとすることができる。
また、薬を小分けした袋、領収書、カード等を収納の場合、少量の時は薄く、多量の時は厚く、ポケットが固定された面と平行に近い形で袋部１が変形し、少量の時でも、マチのあるポケットのようにポケット内で倒れたりせず、収納物の視認がしやすいという効果がある。
【００１９】
さらに、カレンダーポケットのように複数の収納ポケットが必要な場合、本発明の収納ポケットはマチのないものであるため図４のように、横方向に複数のポケットが保持部２で連結された一つの扁平なシート状態とすることができる。このため、製造工程を少なくし、コストを削減できるという効果がある。
【００２０】
また、図５のように、保持部２をさらに上方に伸ばした部分を設け、その上方を袋部１の下端の固着された部分の幅とし、伸ばした部分を蓋部６として折り目６ｅを入れ、折り返して袋部１の収納物の前側に差し込む。または、折り目６ｅを入れずそのまま折り返して差し込むことにより、図６のように、外出時に携帯可能な収納ポケットとすることができる。この場合、固定方法をフック４等への引っ掛けとし、蓋部６を収納物の後側に差し込んでおく、または、面ファスナー６ｆとする等により、通常時は使用場所に固定して、収納物を出し入れすることができる。
なお、蓋部６は保持部２の上部に溶着、接着、縫製等で固着されたものでもよい。また。袋部１の前面に蓋部６の差し込み部を設けてもよい。
【００２１】
これにより、薬を小分けした複数の袋での使用の場合は、携帯する薬が多量な場合でもコンパクトに携帯することができ、薬を服用するごとに扁平になっていき、ピルケースのようにいつまでも場所をとることがない。また、携帯せず薬をまとめておく保存用として使用することもできる。
さらに、箱物等で本体と蓋とが別になっているものでの使用の場合は、携帯時に不用意に蓋が開いてしまうことを防ぐという効果もある。
【符号の説明】
【００２２】
１    袋部
１ａ  溶着
１ｂ  開口部
１ｃ  袋部の切り欠き部
２    保持部
２ｃ  保持部の切り欠き部
２ｄ  段差
３ａ  ボード等への溶着
４    フック
５    切れ込み
６    蓋部
６ｅ  折り目
６ｆ  面ファスナー